(57)【要約】      （修正有）【課題】  ボルト等の多角柱部分の厚さが薄くなり、角が丸くなったボルトの頭部やナットを締め付けたり緩めたりしてもボルト等の多角柱部分の外周の立上り面と嵌めこみ穴内壁面が確実に接触し、多角柱部分の角が潰れず、十分に締め付けたり確実に緩めたりできるソケットレンチ用ソケットとソケットレンチを提供する。【解決手段】ソケットレンチ用ソケットは、ボルトの頭部やナットを嵌入する嵌め込み穴１を有し、該嵌め込み穴の内壁面１ａと嵌め込み穴の開口面２ａが、直接略直角に接している。【選択図】図３
2005103704.tif 000002
【特許請求の範囲】
【請求項１】
先端にボルトの頭部やナットを嵌入する嵌め込み穴を有し、
該嵌め込み穴の内壁面と嵌め込み穴の開口面とが、直接略直角に接していることを特徴とするソケットレンチ用ソケット。
【請求項２】
前記嵌め込み穴の内壁面が、内部から開口側に向かって漸次拡開する傾斜面であることを特徴とする請求項１記載のソケットレンチ用ソケット。
【請求項３】
請求項１又は２記載のソケットレンチ用ソケットを一端に有することを特徴とするソケットレンチ。
【請求項４】
請求項１又は２のソケットレンチ用ソケットの基部に連結杆を有するソケットレンチであって、
該連結杆の断面が、多角形に形成されていることを特徴とする請求項３記載のソケットレンチ。
【請求項５】
請求項１又は２のソケットレンチ用ソケットの基部に連結杆を有するソケットレンチであって、
前記ソケットの基部が、連結杆の先端に折曲自在に取りつけられていることを特徴とする請求項３記載のソケットレンチ。
【発明の詳細な説明】
【技術分野】
【０００１】
本発明は、ソケットレンチ用ソケット及びソケットレンチに関し、特に肉厚が薄く端面と外周の角が円弧状になり外周の立上り面の高さが低くなった多角形（主に六角形）のボルトの頭部やナットを締め付けたり緩めたりするときに使用するソケットレンチ用ソケット及びソケットレンチに関する。
【背景技術】
【０００２】
図５は、従来のソケットレンチのソケット部の一端の嵌め込み穴に嵌入した状態を示すソケットレンチのソケット部の要部拡大断面図である。同図に示すように、従来のソケットレンチの先端のソケット部Ｗには、ボルトの頭部Ｘやナットの多角柱部分を嵌め込む嵌め込み穴Ｙが設けられている。嵌め込み穴Ｙの内壁面Ｙ１と嵌め込み穴Ｙの開口端面Ｗａの角には、断面形状三角形の切欠Ｚが設けられている。この切欠Ｚは、ボルトの頭部Ｘやナットを嵌め込み穴Ｙに嵌め込み易くするためのものである。従来のボルトの頭部Ｘやナットは肉厚が厚く、かつ端面と外周の立上り面の角が角張ていた。従って、嵌め込み穴Ｙの内壁面Ｙ１とボルトの頭部Ｘやナットの外周の立上り面Ｘ１とは十分に接触でき（接触長さＡが長い）、ボルトの頭部Ｘやナットを嵌め込み穴Ｙに嵌め込みソケットレンチでねじ込んでもボルトの頭部Ｘやナットの外周の隣接する立上り面Ｘ１の角が潰れなかった。
【０００３】
このような状況下で、ソケット部Ｗの嵌め込み穴Ｙとボルト等の多角柱部分との嵌合に関する出願としては、特開平１１―３３３７３６号（特許文献１）、特開２００１―２８７１７０号（特許文献２）、国際公開ＷＯ９７／１５７６２号（特許文献３）、登録実用新案３００９０００号（特許文献４）などがあった。これらの各特許文献は、嵌め込み穴Ｙの断面形状に関するもので、嵌め込み穴Ｙの内壁面Ｙ１と端面の関係に注目したものは１件もなかった。
【０００４】
一方、ボルトやナットを多用する自動車業界では、製造技術の進歩により自動車のエンジンルーム内が狭くなると共に組立て作業がロボット化し、更に車輌の軽量化の要請が高くなっている。図６は、軽量化されたボルトを嵌めこみ穴Ｙに嵌入した状態の断面図である。ボルト等の多角柱部分は、厚さが薄くなった上に端面と外周の立上り面Ｘ３の接する角が丸くなってきた。この結果、六角形のボルトの頭部Ｘ２やナットの外周の立上り面Ｘ３の高さが低くなり、立上り面Ｘ３の面積が狭くなった。
【０００５】
このような状況下で従来のソケット部Ｗの嵌め込み穴Ｙにボルトの頭部Ｘ２やナットを嵌め込み締め付けたり緩めたりすると、嵌め込み穴Ｙの内壁面Ｙ１とボルトの頭部Ｘ２やナットの外周の立上り面Ｘ３とが十分に接触できなくなってきた（接触線Ｂが短くなった）。立上り面Ｘ３と内壁面Ｙ１が十分に接触しない状態でボルトの頭部Ｘ２やナットを締め付けたり緩めたりすると、外周の隣接する立上り面Ｘ３間の角が潰れ易く、締め付けたり緩めたりする作業がし難くなってきた。
【０００６】
更に、図７に示すように、ボルトの頭部Ｘ２やナットが嵌め込み穴Ｙに傾斜して嵌め込まれると、嵌め込み穴Ｙの内壁面Ｙ１とボルトの頭部Ｘ２やナットの外周の立上り面Ｘ３の接触が不充分となり、接触する片側が線接触から点接触へと更に短くなり（接触線Ｃ１）、反対側が時には外れ（接触線Ｃ２）、ボルトの頭部Ｘ２やナットの外周の隣接する立上り面Ｘ３の角が潰れ、締め付けたり緩めたりする作業ができなくなることが多かった。
【特許文献１】特開平１１―３３３７３６号公報
【特許文献２】特開２００１―２８７１７０号公報
【特許文献３】国際公開ＷＯ９７／１５７６２号公報
【特許文献４】登録実用新案３００９０００号公報
【発明の開示】
【発明が解決しようとする課題】
【０００７】
本発明は、ボルト等の多角柱部分の厚さが薄くなり、角が丸くなったボルトの頭部やナットを締め付けたり緩めたりしてもボルト等の多角柱部分の外周の立上り面と嵌め込み穴内壁面が確実に接触し、多角柱部分の角が潰れず、十分に締め付けたり確実に緩めたりできるソケットレンチ用ソケットとソケットレンチを提供するものである。
【課題を解決するための手段】
【０００８】
上記目的を達成するために本願の第１の発明のソケットレンチ用ソケットは、ボルトの頭部やナットを嵌入する嵌め込み穴を有し、該嵌め込み穴の内壁面と嵌め込み穴の開口面が、直接略直角に接していることを特徴としている。
【０００９】
本願の第２の発明のソケットレンチ用ソケットは、内部から開口側に向かって漸次拡開する傾斜面であることを特長としている。
【００１０】
本願の第３の発明のソケットレンチは、前記第１と第２の発明のソケットレンチ用ソケットを一端に有することを特徴としている。
【００１１】
本願の第４の発明のソケットレンチは、前記第１と第２の発明のソケットレンチ用ソケットの基部に連結杆を有するソケットレンチであって、連結杆の断面が多角形に形成されていることを特徴としている。
【００１２】
本願の第５の発明のソケットレンチは、前記第１と第２の発明のソケットレンチ用ソケットの基部に連結杆を有するソケットレンチであって、前記ソケットの基部が連結杆の先端に折曲自在に取付けられていることを特徴としている。
【発明の効果】
【００１３】
本願の第１の発明のソケットレンチ用ソケットは、嵌め込み穴の内壁面と嵌めこみ穴の開口面とが、直接略直角に接しているので、従来のソケット部の端面と内壁面の角が切欠を介した間接接触のときより嵌め込み穴の内壁面とボルトの頭部やナットの外周の立上り面との接触が良くなり、両者の接触する長さが長くなった。その結果、肉厚が薄く端面と外周の角が円弧状の頭部を持ったボルトや同様のナットを嵌め込み穴に嵌め込み強く締め付けたり緩めても、これらのボルトの頭部やナットの外周の隣接する立上り面の角が潰れることがなくなり、強い力で締め付けたり緩めることができる。
【００１４】
第２発明のソケットレンチ用ソケットは、嵌め込み穴の内壁面が、内部から開口部に向かって漸次広がる傾斜面なので、嵌め込み穴が角錐台形となり内部より入り口が広く、端面と嵌め込み穴の接する角に切欠がなくともボルトの頭部やナットを嵌め込み易くなる。
【００１５】
第３発明のソケットレンチは、前記第１と第２の発明のソケットレンチ用ソケットを一端に有するソケットレンチなので、第１と第２の発明のソケットレンチ用ソケットの効果を有している。
【００１６】
第４発明のソケットレンチは、前記第１と第２の発明のソケットレンチ用ソケットの基部に多角形（主に六角形）の連結杆を形成したので、連結杆の任意の位置にスパナ等他の工具を当てて強力な力でソケットレンチを回転できるようになり、手だけでは得られない強いトルクでボルトの頭部やナットを締め付け或は緩めることができるようになった。又、連結杆全体が断面多角形なので、締め付け或は緩めるボルトやナットの取付けられた位置に応じ連結杆の任意の位置にスパナ等他の工具を当てることができるからソケットレンチの使い勝手が良くなった。
【００１７】
第５発明のソケットレンチは、前記第１と第２の発明のソケットレンチ用ソケットの基部が、連結杆の先端に折曲自在に取り付けられてので、自動車のボンネット内のような入組んだ複雑な構造で間隙も狭いところに取付けられたボルトやナットでも容易に締め付け或は緩めることができるようになった。
【発明を実施するための最良の形態】
【００１８】
以下に本発明の実施例を図面を用いて説明する。
【００１９】
図１は、本発明の１実施例を示すソケットレンチの一部切欠断面図である。図に示すように、本発明のソケットレンチは、一端にボルトの頭部やナットを嵌め込む嵌め込み穴１を有するソケット部２を設け、他端には、後端面に多角形の突起（短い六角棒）３を突設した把手部４を有している。ソケット部２と把手部４は、断面多角形（六角棒や八角棒）の連結杆５で連結されている。多角形の突起３と連結杆５は、任意の位置にスパナ等他の工具を外挿し、梃子の原理を利用して連結杆５を回すとき、把手部４を手で握った時の数倍の力が加わり、ソケット部２の嵌めこみ穴１に嵌入したボルトやナットを簡単に締め付け或は緩めることができる。又、自動車のボンネット内のような隙間が狭いところのボルトやナットを処理するときは、従来の突起３と連結杆５の所定の位置のみが多角形の場合と異なり、必要に応じ突起３と連結杆５の任意の位置に他の工具を外挿できるから、大変使い易い。
【００２０】
図２は、図１のＮ−Ｎ線切断断面図である。図に示すように、把手部４の断面は、略三角形状をなし、角は小径の円弧状で、各辺は大径の円弧状である。このような断面が略三角形状の把手部４は、人の手にとって握り易く力が入り易い形状であり、長時間使い続けても疲れない。尚、図示しないが、把手部４の先端側が他端側より膨らませ或は先端側に膨大部を設けると、把手部４を握ったとき力が入り易く且つ握った手が滑らず、特に汗ばんだ手や濡れた手で握るときに使い良くなる。
【００２１】
図３は、ソケットレンチの異なる実施例のソケット部の要部断面図である。図に示すように、ソケット部２の一端に開口を有し、ボルトの頭部Ｘ２或はナット（以下、頭部Ｘ２という）が嵌り込む嵌め込み穴１を設ける。この嵌め込み穴１の開口の外周でソケット部２の端面の内側と嵌め込み穴１の内壁面１ａの角は、直接略直角に接している。即ち、従来のソケット部Ｗは、嵌め込み穴Ｙの内壁面Ｙ１とソケット部Ｗの端面Ｗａの接する角に切欠Ｚが設けられていた（図５〜図７参照）が、本実施例では、嵌め込み穴１の内壁面１ａとソケット部２の開口面２ａの内側と接する角に切欠Ｚが設けられていない。従って、嵌め込み穴１の内壁面１ａとソケット部２の開口面２ａの内側の角とは、直接略直角に接している（少し鋭角になっていても良い）。この嵌め込み穴１の断面は、多角形（一般に六角形か変形１２角形）であり、頭部Ｘ２の断面も同様の多角形（一般に六角形）である。
【００２２】
この嵌め込み穴１に、外周の立上り面Ｘ３と開口面２ａの接する角が円弧状で肉厚の薄い頭部Ｘ２のボルトを嵌め込んだ時、この頭部Ｘ２の外周の立上り面Ｘ３と嵌め込み穴１の内壁面１ａが確実に接触する。この状態でソケットレンチで頭部Ｘ２を回しても、六角形のボルトの頭部Ｘ２外周の隣接する立上り面Ｘ３の角が潰れることなく、確実に締め付け或は緩められる。又、従来のような切欠Ｚを設けなくともよいだけ製造コストを低減できる。
【００２３】
図４は、ソケットレンチの異なる実施例のソケット部の断面図である。図に示すように、ソケット部２に角錐台形状嵌め込み穴１１を設ける。この嵌め込み穴１１は、内側から開口側に向かって順次拡開する傾斜面する内壁面１１ａを有し、内側より開口側が僅かに広い嵌め込み穴１１でる。この傾斜角度６は、０．１度〜３度程度が適当である。このように角錐台形状嵌め込み穴１１とすることで、ボルトの頭部Ｘ２やナットを嵌め込み易くなる。又、型抜きが容易になることから製造し易くなる。
【００２４】
尚、上記構成の嵌め込み穴１のあるソケット部２を有するソケットレンチは、ソケット部２と連結杆５と把手部４を有するソケットレンチに施しても、ソケット部２が連結杆５や把手部４に着脱自在なソケットレンチのソケット部２にしても、ソケット部２と連結杆５が折曲自在なソケットレンチのソケット部２に施してよい。又、本願で言うボルトには、ネジも含まれる。
【００２５】
自動車のボンネット内のような複雑で込み入った構造の隙間の狭いところに取付けられた頭部Ｘ１を回す場合は、ソケット部２の基部を連結杆５の先端に折曲自在に取り付けた所謂首振りソケットレンチに前記構成を任意に組合せたものとすれば、更に使い良くなる。首振りソケットとしては、ユニバーサルジョイントやボールジョイントなどでソケット部２の基部を連結杆５の先端に折曲自在に取り付けたものがある。
【００２６】
請求項で「ソケット」と表示し、実施例では「ソケット部」と表示しているが、意味する内容は同じである。実施例では、把手部４や連結杆５とソケットとが一体になっているので、ソケットの部分を「ソケット部」と記載した。ソケット部が連結杆５や把手部４と着脱自在な場合は、ソケットレンチ用の「ソケット」となる。
【００２７】
本発明のソケットレンチは、自動車のボンネット内のように複雑な構造で隙間の狭いところに取付けられたボルトやナットの着脱用として即ち自動車修理時に使うためのものであるが、部材が複雑に組込まれ間隙の狭いところのボルトやナットの締め付けや緩めに最適である。
【図面の簡単な説明】
【００２８】
【図１】本発明のソケットレンチの１実施例を示す一部切欠断面図である。
【図２】図１のＮ―Ｎ線切断断面図である。
【図３】本発明のソケットレンチの異なる実施例のソケット部を示す要部断面図である。
【図４】本発明のソケットレンチの更に異なる実施例のソケット部を示す要部拡大断面図である。
【図５】従来の肉厚が厚く端面と外周の立上り面の角が角張ったボルトの頭部を嵌め込み穴に嵌入した状態を示すソケット部の要部拡大断面図である。
【図６】従来のソケットの嵌め込み穴に肉厚が薄く端面と外周の立上り面の角が円弧状のボルトの頭部を嵌め込んだ状態を示す要部拡大断面図である。
【図７】従来のソケットの嵌め込み穴に肉厚が薄く端面と外周の立上り面の角が円弧状のボルトの頭部を斜めに嵌め込んだ状態を示す要部拡大断面図である。
【符号の説明】
【００２９】
１    嵌め込み穴
１ａ  嵌め込み穴の内壁面
２    ソケット部（ソケット）
２ａ  開口面
３    多角形の突起
４    把手部
５    連結杆
６    内壁面の傾斜角度
１１    錐形の台形の嵌め込み穴
１１ａ  嵌め込み穴の内壁面
Ｘ２    ボルトの肉厚が薄くて端面と外周の立上り面の角が円弧状の頭部
Ｘ３    ボルトの頭部外周の立上り面
【図１】
2005103704.tif 000003
【図２】
2005103704.tif 000004
【図３】
2005103704.tif 000005
【図４】
2005103704.tif 000006
【図５】
2005103704.tif 000007
【図６】
2005103704.tif 000008
【図７】
2005103704.tif 000009